(57)【要約】【課題】主に自動車のカーナビゲーション等に用いられる入力装置に関し、誤操作が少なく操作の容易なものを提供することを目的とする。【解決手段】表示手段１５に加え、多方向操作スイッチ１０と音声手段１４を設け、表示手段１５に複数のメニューが表示された状態で、多方向操作スイッチ１０を操作して所定メニューを選択すると、制御手段１６がこの操作方向を検出して、表示手段１５の表示を次メニューに切換えると共に、音声手段１４に多方向操作スイッチ１０の次メニューの操作方向を指示させることによって、次メニューの操作方向が音声手段１４から指示されるため、誤操作が少なく、容易な操作が可能な入力装置を得ることができる。【選択図】図１
2008070937.tif 000002
【特許請求の範囲】
【請求項１】
多方向操作スイッチと、音声手段と、複数のメニューを表示する表示手段と、これらに接続された制御手段からなり、上記表示手段に複数のメニューが表示された状態で、上記多方向操作スイッチを操作して所定メニューを選択すると、上記制御手段がこの多方向操作スイッチの操作方向を検出して、上記表示手段の表示を次メニューに切換えると共に、上記音声手段に上記多方向操作スイッチの次メニューの操作方向を指示させる入力装置。
【発明の詳細な説明】
【技術分野】
【０００１】
本発明は、主に自動車のカーナビゲーション等に用いられる入力装置に関するものである。
【背景技術】
【０００２】
近年、車両に装着されたカーナビゲーション等を用いて、行き先や走行方向を確認することが広く行われるなか、誤操作がなく操作の容易なものが求められている。
【０００３】
このような従来の入力装置について、図６を用いて説明する。
【０００４】
図６（ａ）は従来の入力装置の平面図であり、同図において、１は絶縁樹脂製のケース、２は液晶表示素子等の表示手段で、表示手段２の前面には光透過性のタッチパネル３が装着されている。
【０００５】
そして、このタッチパネル３は二枚のフィルムやガラスから形成され、これらの片面に形成された酸化インジウム錫等の透明な導電層（図示せず）が所定の空隙で対向すると共に、導電層両端からは直交方向に形成された一対の電極（図示せず）が延出している。
【０００６】
また、４は絶縁樹脂製の複数の押釦で、ケース１に押圧可能に装着されると共に、これらの背面には、押釦４の押圧操作によって電気的接離を行う複数のスイッチ接点（図示せず）が配設されている。
【０００７】
さらに、ケース１内には、マイコン等の電子部品によって制御手段５が形成されると共に、表示手段２やタッチパネル３の複数の電極、押釦４背面の複数のスイッチ接点が、制御手段５に接続されて入力装置が構成されている。
【０００８】
そして、このように構成された入力装置が、車室中央前方のインストルメントパネル上方等に取り付けられると共に、制御手段５がコネクタやリード線等を通して自動車本体の電子回路に接続されて、自動車に装着される。
【０００９】
以上の構成において、例えば「目的地」の押釦４を押圧操作すると、この背面のスイッチ接点の電気的接離が行われ、これを制御手段５が検出して、表示手段２には図６（ａ）に示すような、「目的地設定」用の複数のメニュー６が表示される。
【００１０】
そして、この複数のメニュー６の中から所定メニュー、例えば「行き先選択」を選択して、この表示箇所前面のタッチパネル３を押圧操作すると、タッチパネル３のフィルムが撓んで背面の導電層が接触し、この電気的接離を制御手段５が検出して、図６（ｂ）に示すように、「行き先選択」用の複数の次メニュー７に表示手段２の表示が切換わる。
【００１１】
さらに、この後、再びタッチパネル３を押圧操作して所定メニュー、例えば「名称入力」を選択した後、所定の操作を行って名称を入力すると、選択した地域の地図やその地域への案内等が表示手段２に表示される。
【００１２】
つまり、表示手段２に複数のメニュー６が表示された状態で、タッチパネル３を押圧操作して所定メニューを選択すると、このタッチパネル３の操作位置を制御手段５が検出して、表示手段２の表示を次メニュー７に切換え、これを繰返すことによって、行き先の地図や案内等が表示手段２に表示されるように構成されているものであった。
【００１３】
なお、この出願の発明に関連する先行技術文献情報としては、例えば、特許文献１が知られている。
【特許文献１】特開２００６−１２６９５号公報
【発明の開示】
【発明が解決しようとする課題】
【００１４】
しかしながら、上記従来の入力装置においては、表示手段２に表示された複数のメニュー６や７を操作する都度、目視で確認して選択し操作する必要があるため、操作が煩雑で、押し間違い等の誤操作も生じ易いという課題があった。
【００１５】
本発明は、このような従来の課題を解決するものであり、誤操作が少なく操作の容易な入力装置を提供することを目的とする。
【課題を解決するための手段】
【００１６】
上記目的を達成するために本発明は、表示手段に加え、多方向操作スイッチと音声手段を設け、表示手段に複数のメニューが表示された状態で、多方向操作スイッチを操作して所定メニューを選択すると、制御手段がこの多方向操作スイッチの操作方向を検出して、表示手段の表示を次メニューに切換えると共に、音声手段に多方向操作スイッチの次メニューの操作方向を指示させるようにして入力装置を構成したものであり、音声手段によって次メニューの操作方向が指示されるため、誤操作が少なく、容易な操作が可能な入力装置を得ることができるものである。
【発明の効果】
【００１７】
以上のように本発明によれば、誤操作が少なく操作の容易な入力装置を実現することができるという有利な効果が得られる。
【発明を実施するための最良の形態】
【００１８】
以下、本発明の実施の形態について、図１〜図５を用いて説明する。
【００１９】
（実施の形態）
図１は本発明の一実施の形態による入力装置のブロック回路図であり、同図において、１０は多方向操作スイッチで、略箱型で絶縁樹脂製のケース１１上面上方には、略円盤状で絶縁樹脂製の操作体１２が上下左右に揺動可能に装着されると共に、この操作体１２上面外周には操作方向を示す、略三角形の四つのマークが表示され、操作体１２中央には絶縁樹脂製の押釦１２Ａが、押圧可能に装着されている。
【００２０】
また、ケース１１上面下方には、絶縁樹脂製の押釦１３が押圧可能に装着されると共に、ケース１１内には操作体１２の揺動や押釦１２Ａや１３の押圧によって、電気的接離を行う複数のスイッチ接点（図示せず）が配設されている。
【００２１】
さらに、１４はスピーカ等の音声手段、１５は液晶表示素子等の表示手段で、この音声手段１４や表示手段１５、多方向操作スイッチ１０のスイッチ接点が、マイコン等の電子部品によって形成された制御手段１６に接続されて、入力装置が構成されている。
【００２２】
そして、このように構成された入力装置は、音声手段１４や表示手段１５が車室中央前方のインストルメントパネル上方等に、多方向操作スイッチ１０が運転席側方のコンソールボックスやステアリングホイール近傍等に各々取り付けられると共に、制御手段１６がコネクタやリード線等を通して自動車本体の電子回路に接続されて、自動車に装着される。
【００２３】
以上の構成において、例えば押釦１２Ａまたは１３を押圧操作すると、この背面のスイッチ接点の電気的接離が行われ、これを制御手段１６が検出して、表示手段１５には図２（ａ）の平面図に示すような、「目的地設定」用の複数のメニュー１７が表示される。
【００２４】
なお、この時、制御手段１６が押釦１２Ａや１３の押圧操作に応じて、図３の動作チャートに示すように、このメニュー１７に対する多方向操作スイッチ１０の操作方向、例えば「行き先選択は上」「履歴選択は下」といった指示を、音声手段１４から音声によって行う。
【００２５】
そして、この音声指示にしたがって、多方向操作スイッチ１０の操作体１２を所定方向へ、例えば上端を押圧して上方向へ揺動操作すると、この背面のスイッチ接点の電気的接離が行われ、これを制御手段１６が検出して、図２（ｂ）に示すような、「行き先選択」用の複数の次メニュー１８に、表示手段１５の表示が切換わる。
【００２６】
また、この時、制御手段１６がこの操作体１２の揺動操作に応じて、図３に示すように、表示された次メニュー１８に対する多方向操作スイッチ１０の操作方向、例えば「名称入力は上」「住所検索は下」といった音声指示を、音声手段１４によって行わせる。
【００２７】
さらに、この後、この音声指示にしたがって、操作体１２を所定方向へ揺動操作して、例えば「名称入力」を選択し、所定の操作を行って名称を入力した後、押釦１２Ａや１３を押圧操作すると、選択した地域の地図やその地域への案内等が表示手段１５に表示される。
【００２８】
つまり、表示手段１５に複数のメニュー１７が表示された状態で、多方向操作スイッチ１０を操作して所定メニューを選択すると、制御手段１６がこの多方向操作スイッチ１０の操作方向を検出して、表示手段１５の表示を次メニュー１８に切換えると共に、このようにメニューが切換わる度に、多方向操作スイッチ１０の次のメニューに対する操作方向を、音声手段１４を用いて音声指示するように構成されている。
【００２９】
したがって、メニューの切換えを行う都度、表示手段１５の表示を目視で確認する必要はなく、多方向操作スイッチ１０の操作体１２に手を当て、音声手段１４の音声指示にしたがって、操作体１２を所定方向へ揺動操作するだけで、メニューの選択を行うことができるため、誤操作も生じづらく、容易に操作を行うことが可能なようになっている。
【００３０】
このように本実施の形態によれば、表示手段１５に加え、多方向操作スイッチ１０と音声手段１４を設け、表示手段１５に複数のメニューが表示された状態で、多方向操作スイッチ１０を操作して所定メニューを選択すると、制御手段１６がこの操作方向を検出して、表示手段１５の表示を次メニューに切換えると共に、音声手段１４に多方向操作スイッチ１０の次メニューの操作方向を指示させることによって、次メニューの操作方向が音声手段１４から指示されるため、誤操作が少なく、容易な操作が可能な入力装置を得ることができるものである。
【００３１】
なお、以上の説明では、ケース１１上面に装着した略円盤状の操作体１２を、上下左右に揺動操作する多方向操作スイッチ１０を用いた構成について説明したが、図４の平面図に示すように、ケース１１Ａ上方に上下左右に四つの押釦１３Ａを配列し、これらを押圧操作してメニューの選択を行う構成等、様々な構成の多方向操作スイッチにおいても、本発明の実施は可能である。
【００３２】
また、以上の説明では、複数のメニュー１７や次メニュー１８を表示手段１５に縦列に並べて表示した構成について説明したが、図５の平面図に示すように、多方向操作スイッチ１０の操作方向に合わせ、例えば「行き先選択」を上方、「履歴選択」を下方というように、上下左右に配置して表示すれば、音声手段１４の音声指示に加え、より誤操作が少なく、容易に操作を行うことができる。
【００３３】
さらに、行き先や走行方向を検索するカーナビゲーションを例として説明したが、車両に搭載された他の機器、例えばオーディオやエアコン等の入力操作用として、例えば「音量アップは上」「音量ダウンは下」というように、多方向操作スイッチ１０の操作方向を音声手段１４によって音声指示するようにしても、本発明の実施は可能である。
【産業上の利用可能性】
【００３４】
本発明による入力装置は、誤操作が少なく、容易な操作が可能なものが得られ、主に自動車のカーナビゲーション等の入力操作用として有用である。
【図面の簡単な説明】
【００３５】
【図１】本発明の一実施の形態による入力装置のブロック回路図
【図２】同表示手段の平面図
【図３】同動作チャート
【図４】同他の実施の形態による多方向操作スイッチの平面図
【図５】同他の実施の形態による表示手段の平面図
【図６】従来の入力装置の平面図
【符号の説明】
【００３６】
１０  多方向操作スイッチ
１１、１１Ａ  ケース
１２  操作体
１２Ａ  押釦
１３、１３Ａ  押釦
１４  音声手段
１５  表示手段
１６  制御手段
１７  メニュー
１８  次メニュー
【図１】
2008070937.tif 000003
【図２】
2008070937.tif 000004
【図３】
2008070937.tif 000005
【図４】
2008070937.tif 000006
【図５】
2008070937.tif 000007
【図６】
2008070937.tif 000008